(57)【特許請求の範囲】
【請求項１】
対抗する一対の係着機構を内壁面に具備した円形の収納凹所を有する容器本体と、前記容器本体の上面を被覆し互いの後端部で蝶番部を形成した蓋体と、前記収納凹所の係着機構と係合する弾性片からなる係着機構を有し前記収納凹所に着脱自在に収納され化粧料が充填された円形の中皿とを有してなるコンパクト容器において、前記容器本体の係着機構の前方に前記中皿の係着機構の回動をガイドする突起を底壁から突設するとともに、前記化粧料を囲んだ前記中皿のフランジ面の周縁部上面の前記蝶番部側に指掛け片を突設し、前記指掛け片を操作して前記中皿を回動させることにより前記係着機構相互の係合を解除し、前記中皿を前記収納凹所から取り外し可能としたことを特徴とするコンパクト容器。
【発明の詳細な説明】
【０００１】
【発明の属する技術分野】
本発明は、ファンデーションや頬紅などの化粧料が充填された中皿を着脱自在に交換可能としたコンパクト容器に関する。
【０００２】
【従来の技術】
フアンデーションや頬紅などの化粧料が充填された中皿を装着し、化粧料を使いきったり、好みの色に変える為に、中皿を自由に交換可能としたコンパクト容器は多数提案されており、中でも中皿の交換作業が容易なものとして、例えば、実公昭６３ー７１４１号公報や実開昭  ６４ー４０３０７号公報に開示されているもののように、装着された中皿に直接手指を掛けて取り出すタイプのものがよく知られている。
【０００３】
ところで、前記公報に開示されたコンパクト容器にあっては、容器内から中皿を取り外すときは、中皿の前縁部やフランジの前端部分に手指を掛けなければならず、手指を差し込んで取り外し操作ができるように中皿が装着されている収納凹所に隣接した空間が必要である。
【０００４】
従って、パフなどの化粧用具を中皿の上に戴置して収納するために、中皿が収納凹所の周壁に隙間なく囲まれて手指が差し込める空間が存在しない円形の中皿のコンパクト容器には、上述した中皿に直接手指を掛けて取り外しができる簡便な着脱機構の形態は採用されていなかった。従って、円形の中皿を使用したコンパクト容器には、複雑な機構が採用されて高価になったり、容器本体の底板に孔をあけてピンなどの治具を用いて中皿を突き出す安価であるが使い勝手のわるい周知の手段がとられている。
【０００５】
【発明が解決しようとする課題】
本発明は、上記の問題に鑑みてなされたもので、手指が差し込める隣接した空間が存在しない収納凹所内に装着された円形の中皿に直接手指を掛けて取り外し操作を可能とし、中皿の脱着が容易なパフ捌きのよい安価なコンパクト容器にすることを課題としている。
【０００６】
【課題を解決するための手段】
そこで、本発明のコンパクト容器は、対抗する一対の係着機構を内壁面に具備した円形の収納凹所を有する容器本体と、前記容器本体の上面を被覆し互いの後端部で蝶番部を形成した蓋体と、前記収納凹所の係着機構と係合する弾性片からなる係着機構を有し前記収納凹所に着脱自在に収納され化粧料が充填された円形の中皿とを有してなるコンパクト容器において、前記容器本体の係着機構の前方に前記中皿の係着機構の回動をガイドする突起を底壁から突設するとともに、前記化粧料を囲んだ前記中皿のフランジ面の周縁部上面の前記蝶番部側に指掛け片を突設し、前記指掛け片を操作して前記中皿を回動させることにより前記係着機構相互の係合を解除し、前記中皿を前記収納凹所から取り外し可能としたことで前記課題の解決手段とした。
【０００７】
【発明の実施の形態】
以下、本発明の実施の形態を添付図面を参照しながら詳細に説明する。
【０００８】
図１乃至図５は、本発明に係るコンパクト容器の好適な実施形態を示すもので、図１乃至図２に示すように、円形の収納凹所２を有する容器本体１と、この容器本体１の上面を被覆し互いの後端部で蝶番部３が形成された蓋体１０と、容器本体１の収納凹所２に着脱自在に収納され化粧料Ｋが充填された中皿２０とから構成されている。尚、符合Ｐは中皿２０に戴置されたパフである。
【０００９】
前記容器本体１は、ＡＳ、ＰＳ、ＡＢＳなど硬質の汎用合成樹脂材料が用いられ、底壁５の周縁に周壁４を立設し上面を開放して形成した円形の収納凹所２を有する扁平な箱体に形成されており、その周壁４の後端部に蝶番部３を形成する凹所６が設けられ、周壁４の前端部に蓋体１０のフック１１と係合する突起７を奥正面に突設した凹所８が設けられている。
【００１０】
又、前記収納凹所２の内壁面には、容器本体１前側の凹所８と蝶番部３とを結ぶ前後方向において対向する一対の突起からなる容器本体１側の係着機構９，９が設けられ、この係着機構９，９が中皿２０側の弾性片からなる係着機構２１の横溝２１ａに嵌入して係着機構９，２１同志が弾性的に係合するようになっている。また、係着機構９、９の前方にあって底壁５から突設された二つの突起５ａ，５ａは、中皿２０の係着機構２１の回動をガイドするとともに、外部から中皿２０に不用意に加わる衝撃によって係着機構９，２１の係合が外れないようにその係着強度を補強する為のものである。
【００１１】
尚、この容器本体１と中皿２０との係着機構９，２１の係合態様は、単純な凹凸関係でなされているので、上述した説明の凹凸の組み合わせによる係合とは反対に、容器本体１側の係着機構９を凹とし、中皿２０側の係着機構２１を凸とする構成にしてもよいことは言うまでもない。
【００１２】
一方、蓋体１０は、天板１２の周縁から垂設された周壁１３に囲まれて容器本体１と相似した円形の浅い皿状に形成され、周壁１３の前端部にフック１１が垂設されているとともに、後端部には、容器本体１後端部の凹所６内に軸着されて蝶番部３を形成する蝶番脚１４が垂設されており、天板１２の裏面には化粧鏡１５が貼着されている。
【００１３】
また、中皿２０は、化粧料Ｋが充填された凹所２２を囲んだフランジ面２３の周縁から外周壁２４が垂設されて容器本体１の収納凹所２と相似形の薄い円形の皿状に形成されているとともに、外周壁２３の前端部、即ち中皿の装着時に於ける容器本体１の前端側と、後端部即ち蝶番部３側とには、外周壁２４の下端から切り込まれた二つの切り込みに挟まれた弾性片からなる係着機構２１が垂設され、この係着機構２１には、容器本体１の収納凹所２内の突起からなる係着機構９が嵌入する横溝２１ａが刻設されている。尚、係着機構９，２１を設ける方向は、上述した前後方向に限るものではなく、左右方向に設けることも可能である。
【００１４】
そして、フランジ面２３の上面後端部には指掛け片２５が突設され、この指掛け片２５は、中皿２０を回動させる操作部材であるとともに、中皿２０を引き抜くときの摘み部材となるもので、フランジ面２３の外周縁に沿って舌片状の山形に形成されており、化粧をする際のパフ捌きの邪魔にならないように蝶番部３側に設けられている。尚、指掛け片２５は、蝶番部３の中央前方位置に突設するものとは限らず、使用者のパフ捌きの利き手や癖に合わせて左右にずらせた設計にしてもよいことは言う迄もない。
【００１５】
以上のような形態のコンパクト容器にあっては、中皿２０を容器本体１に装着するときは、図３に示す定着位置へ中皿２０を直接押し込んで係着機構９，２１同志を強制的に係合させてもよく、或いは図４に示すように、中皿２０の定着位置を外して収納凹所２内へ中皿２０を押し込み、指掛け片２５を操作して図３の定着位置に回動させて係着機構９，２１同志を係合させてもよい。
【００１６】
上記の何れの装着方法に於いても、中皿２０の弾性片からなる係着機構２１が容器本体１の突起からなる係着機構９に圧接すると、中皿２０の係着機構２１は内側に撓み、横溝２１ａに容器本体１側の係着機構９が嵌入して係合が完了すると係着機構２１の撓み変形は弾性的に復元する。このとき確かな手応えを伴うので、係着機構９，２１同志の係合が完了したことを感知することができる。
【００１７】
そして、係合が完了した係着機構９，２１は、弾性的に係着しているので、がたつきがないうえに、中皿２０に衝撃を受けても、底壁５１から突設された突起５ａによって係合の補強がなされているので簡単に解除されてしまうことがなく、中皿２０は容器本体１内の定位置に脱落不能に収納される。
【００１８】
また、中皿２０を取り外すときは、指掛け片２５を手指で摘み、先ず、中皿２０を引き抜く際に蓋１０が邪魔にならない図４に示す位置迄中皿２０を回動させて、係着機構９，２１同志の係合を解除する。この状態では、容器本体１側の突出した係着機構９が中皿２０の外周壁２４に弾性的に接しているので、係合が解除された中皿２０は、収納凹所２内から不用意に取り落とすことのない仮止め状態に保持されており、これを上方に引き抜いて取り外すものである。
【００１９】
以上のように、この実施形態のコンパクト容器にあっては、中皿２０は容器本体１の円形の収納凹所２内にぴったり嵌入して収納凹所２の周壁４によって隙間なく囲まれているが、操作し易いようにフランジ面２３の上面に突設した指掛け片２５を回動して中皿２０の係合を解除させて抜き出し易くすることにより、手指を使った中皿２０の取り外しを可能としたものである。
【００２０】
次ぎに、図５は、本発明に係るコンパクト容器の別の係着機構９，２１を有する形態を示すもので、図において、上述したコンパクト容器と共通する部分については同一符合を付してその説明を省略する。
【００２１】
このコンパクト容器は、容器本体１の収納凹所２の左右方向の内壁に一対の逆Ｌ字形の突起からなる係着機構９が対向して突設され、この係着機構９は、装着された中皿２０に対し、突起の縦部分が回動方向のストッパ９ａ、突起の横部分がガイドを兼ねた上方への抜け出しのストッパ９ｂとなっている。
【００２２】
一方、中皿２０は、フランジ面２３の下面に、その外径よりも短径の寸法の外周壁２４が垂設され、この外周壁２４には下端から切り込まれた二つの切り込みに挟まれ突起２１ｂを具備した弾性片からなる係着機構２１が前記容器本体１の係着機構９に対応して垂設され、係着機構９，２１同志が弾性的に係合するようになっている。    尚、係着機構９，２１を設ける方向は、上述した左右方向に限るものではなく、前後方向に設けることも可能である。
【００２３】
前記中皿２０を容器本体１に装着するときは、前述した実施形態のコンパクト容器と同様に図４で示したように、中皿２０の定着位置を外して収納凹所２内へ中皿２０を押し込み、指掛け片２５を操作して、中皿２０の突起２１ｂがストッパ９ａへ突き当たるまで時計回りに回動させ、図３で示した中皿２０の定着位置で係着機構９，２１同志を係合させる。
【００２４】
そして、中皿２０を取り外すときは、上記の反対の操作をすればよく、中皿２０の着脱に伴う回動方向を一定にすることにより、螺子を操作するような自然な感覚で中皿２０の交換が確実にできるようにしたものである。
【００２５】
【発明の効果】
本発明のコンパクト容器によれば、化粧料を囲んだ中皿のフランジ面の周縁部上面の蝶番部側に指掛け片を突設し、この指掛け片を操作して中皿を回動させることにより係着機構相互の係合を解除し、中皿を摘んだまま引き抜いて収納凹所から取り外しできるように構成したので、手指が差し込める空間のない丸形の中皿のコンパクト容器であっても、中皿に直接手指を掛けて容易且つ簡便に交換作業ができるパフ捌きのよいコンパクト容器にすることができるとともに、表面積の小さなデザインにすることができる。そして、簡単な構成であるので安価に提供できるものである。
【図面の簡単な説明】
【図１】  本発明のコンパクト容器の実施形態を示す分解斜視図であり、（ａ）はコンパクト容器、（ｂ）は中皿。
【図２】  同コンパクト容器の断面図。
【図３】  同コンパクト容器の斜視図。
【図４】  同コンパクト容器の作動状態を示す斜視図。
【図５】  本発明のコンパクト容器の別の実施形態を示す分解斜視図。
【符号の説明】
１  容器本体，２  収納凹所，３  蝶番部，９  係着機構，１０  蓋体，２０  中皿，２１  係着機構，２３  フランジ面，２５  指掛け片，Ｋ  化粧料
【図１】
0003792754.tif 000002
【図２】
0003792754.tif 000003
【図３】
0003792754.tif 000004
【図４】
0003792754.tif 000005
【図５】
0003792754.tif 000006